(57)【要約】【課題】光ディスク駆動装置において、ラックとギアとのピッチ間距離が詰まったときに発生する動作負荷を低減する。【解決手段】光ディスク駆動装置１は、光ピックアップユニット６を保持するラック７と、ラック７を移動させるギア９と、ギア９を回転自在に支持するギア支持部１０と、ラック７とギア９とのピッチ間距離を制御する樹脂バネ１１とを備える。ギア９のギアシャフト９４は、ギア支持部１０の軸支孔１０ａに挿入され、ギアシャフト９４の上部９４ａが軸支孔１０ａから上方に突出される。軸支孔１０ａは、ラック７の移動方向と直交する方向に長い長円形状をし、樹脂バネ１１は、ギアシャフト９４の上部９４ａ（軸支孔１０ａから上方に突出される部分）のラック７と反対側の周面に当接する。ラック７とギア９とのピッチ間距離が詰まると、樹脂バネ１１が撓んでギアシャフト９４が移動する。【選択図】図３
2007250116.tif 000002
【特許請求の範囲】
【請求項１】
光ディスクに情報を記録し、又は光ディスクから情報を読取るための光を出射する光ピックアップユニットと、前記光ピックアップユニットを保持し、前記光ピックアップユニットと共に移動するようにガイドレールに移動自在に支持されたラックと、前記ラックに噛合され、前記ラックを移動させるための駆動力を伝達するギアと、前記ギアのギアシャフトが挿入される軸支孔が形成され、該軸支孔に前記ギアシャフトが挿入されて前記ギアを回転自在に支持するギア支持部とを備える光ディスク駆動装置において、
前記ギア支持部は、前記ピックアップユニットを収納するシャーシと一体的に樹脂により形成されており、
前記ギア支持部の軸支孔は、前記ラックの移動方向と直交する方向に長い長円形状をしており、
前記ギアシャフトの前記軸支孔から突出される部分の周面を前記ラックの位置する方向に向けて付勢する、前記ギア支持部と一体的に樹脂により形成された樹脂バネを備え、
前記ラックとギアとのピッチ間距離が詰まったときに発生する動作負荷によって前記樹脂バネが撓んで前記ギアのギアシャフトが移動することにより、前記ラックとギアとのピッチ間距離が一定に保たれることを特徴とする光ディスク駆動装置。
【請求項２】
光ディスクに情報を記録し、又は光ディスクから情報を読取るための光を出射する光ピックアップユニットと、前記光ピックアップユニットを保持し、前記光ピックアップユニットと共に移動するようにガイドレールに移動自在に支持されたラックと、前記ラックに噛合され、前記ラックを移動させるための駆動力を伝達するギアと、前記ギアのギアシャフトが挿入される軸支孔が形成され、該軸支孔に前記ギアシャフトが挿入されて前記ギアを回転自在に支持するギア支持部とを備える光ディスク駆動装置において、
前記ギア支持部の軸支孔は、前記ラックの移動方向と直交する方向に長い長円形状をしており、
前記ギアシャフトの周面を前記ラックの位置する方向に向けて付勢する弾性部材を備え、
前記ラックとギアとのピッチ間距離が詰まったときに発生する動作負荷によって前記弾性部材が変形して前記ギアのギアシャフトが移動することにより、前記ラックとギアとのピッチ間距離が一定に保たれることを特徴とする光ディスク駆動装置。
【請求項３】
前記弾性部材は、前記ギア支持部と一体的に樹脂により形成された樹脂バネであることを特徴とする請求項２に記載の光ディスク駆動装置。
【発明の詳細な説明】
【技術分野】
【０００１】
本発明は、例えばＣＤやＤＶＤ等の光ディスクに対して情報の記録／読取を行う光ディスク駆動装置に関するものである。
【背景技術】
【０００２】
従来から、光ディスク駆動装置は、ディスク駆動ユニットにより光ディスクを回転させながら、光ピックアップユニットから出射した光を光ディスクに照射することにより、光ディスクに対して情報の記録／読取を行うようになっている。光ピックアップユニットは、ガイドレールに移動自在に支持されたラックに保持されており、ラックは、光ピックアップユニットと共に光ディスクの径方向に移動するようになっている。ラックには、ラックを移動させるためのギアが噛合されており、モータによりギアを回転させることによりラックが移動し、これにより、光ピックアップユニットが光ディスクの径方向に移動（シーク動作）するようになっている。
【０００３】
また、モータのモータ軸にウォームギアを設け、このウォームギアにラックを移動させるためのギアを噛合させることにより、ギア比を大きくして、光ピックアップユニットを高精度に位置決めできるようにした光ディスク駆動装置が知られている（例えば特許文献１参照）。また、スプリングを介してラックをラック保持ブラケットに摺動自在に組み込み、ラック保持ブラケットに固定された光ピックアップユニット保持部により光ピックアップユニットを保持することにより、ラックを移動させるためのギアとラックとの間のバックラッシュを取り除くようにした光ディスク駆動装置が知られている（例えば特許文献２参照）。
【特許文献１】特開２００５−２１６３８３号公報
【特許文献２】特開昭６２−１８０５６９号公報
【発明の開示】
【発明が解決しようとする課題】
【０００４】
ところが、上述した従来の光ディスク駆動装置においては、例えばラック及びギアの取付け誤差やギアの偏芯等に起因して、光ピックアップユニットのシーク動作時に一時的にラックとギアとの歯の噛み込みが正常な状態よりも大きくなって（すなわちラックとギアとのピッチ間距離が正常な状態よりも詰まって）、動作負荷が発生することがある。このような動作負荷が発生すると、光ピックアップユニットのシーク動作がスムーズに行われなくなり、光ディスクに対する情報の記録／読取性能が悪化する虞がある。なお、上述した特許文献１及び特許文献２に開示の内容を適用したとしても、上記の課題を解決することはできない。
【０００５】
本発明は、上記課題を解決するためになされたものであり、ラックとギアとのピッチ間距離が詰まったときに発生する動作負荷を低減することができる光ディスク駆動装置を提供することを目的とする。
【課題を解決するための手段】
【０００６】
上記目的を達成するために請求項１の発明は、光ディスクに情報を記録し、又は光ディスクから情報を読取るための光を出射する光ピックアップユニットと、光ピックアップユニットを保持し、光ピックアップユニットと共に移動するようにガイドレールに移動自在に支持されたラックと、ラックに噛合され、ラックを移動させるための駆動力を伝達するギアと、ギアのギアシャフトが挿入される軸支孔が形成され、該軸支孔にギアシャフトが挿入されてギアを回転自在に支持するギア支持部とを備える光ディスク駆動装置において、ギア支持部は、ピックアップユニットを収納するシャーシと一体的に樹脂により形成されており、ギア支持部の軸支孔は、ラックの移動方向と直交する方向に長い長円形状をしており、ギアシャフトの軸支孔から突出される部分の周面をラックの位置する方向に向けて付勢する、ギア支持部と一体的に樹脂により形成された樹脂バネを備え、ラックとギアとのピッチ間距離が詰まったときに発生する動作負荷によって樹脂バネが撓んでギアのギアシャフトが移動することにより、ラックとギアとのピッチ間距離が一定に保たれるものである。
【０００７】
請求項２の発明は、光ディスクに情報を記録し、又は光ディスクから情報を読取るための光を出射する光ピックアップユニットと、光ピックアップユニットを保持し、光ピックアップユニットと共に移動するようにガイドレールに移動自在に支持されたラックと、ラックに噛合され、ラックを移動させるための駆動力を伝達するギアと、ギアのギアシャフトが挿入される軸支孔が形成され、該軸支孔にギアシャフトが挿入されてギアを回転自在に支持するギア支持部とを備える光ディスク駆動装置において、ギア支持部の軸支孔は、ラックの移動方向と直交する方向に長い長円形状をしており、ギアシャフトの周面をラックの位置する方向に向けて付勢する弾性部材を備え、ラックとギアとのピッチ間距離が詰まったときに発生する動作負荷によって弾性部材が変形してギアのギアシャフトが移動することにより、ラックとギアとのピッチ間距離が一定に保たれるものである。
【０００８】
請求項３の発明は、請求項２に記載の光ディスク駆動装置において、弾性部材は、ギア支持部と一体的に樹脂により形成された樹脂バネであるものである。
【発明の効果】
【０００９】
請求項１の発明によれば、光ピックアップユニットの移動動作時に一時的にラックとギアとのピッチ間距離が正常な状態よりも詰まったとしても、それによって発生するラックとギアとを相互に離反させる力によって樹脂バネを撓ませつつギアシャフトがギア支持部の軸支孔内でラックから離反する方向に移動するので、ラックとギアとのピッチ間距離が広がって正常な状態になり、動作負荷を低減することができる。これにより、光ピックアップユニットの移動動作がスムーズに行われ、光ディスクに対する情報の記録／読取性能を高めることができる。しかも、樹脂バネがギア支持部と一体的に形成され、また、ギア支持部がシャーシと一体的に形成されているため、ラックとギアとのピッチ間距離が詰まったときに発生する動作負荷を低減する構成を簡素で安価に実現することができる。
【００１０】
請求項２の発明によれば、光ピックアップユニットの移動動作時に一時的にラックとギアとのピッチ間距離が正常な状態よりも詰まったとしても、それによって発生するラックとギアとを相互に離反させる力によって弾性部材を変形させつつギアシャフトがギア支持部の軸支孔内でラックから離反する方向に移動するので、ラックとギアとのピッチ間距離が広がって正常な状態になり、動作負荷を低減することができる。これにより、光ピックアップユニットの移動動作がスムーズに行われ、光ディスクに対する情報の記録／読取性能を高めることができる。
【００１１】
請求項３の発明によれば、弾性部材がギア支持部と一体的に形成されているため、ラックとギアとのピッチ間距離が詰まったときに発生する動作負荷を低減する構成を簡素で安価に実現することができる。
【発明を実施するための最良の形態】
【００１２】
以下、本発明を具体化した実施形態による光ディスク駆動装置について図面を参照して説明する。図１、図２（ａ）（ｂ）は、光ディスク駆動装置の構成を示す。光ディスク駆動装置１は、例えばＣＤやＤＶＤ等の光ディスクに対して情報の記録／読取を行う装置である。
【００１３】
光ディスク駆動装置１は、光ディスクを搬送するディスクトレイ２と、光ディスクを回転させるディスク駆動ユニット３と、光ディスクをディスク駆動ユニット３に固定するためのクランパ４及びクランププレート５と、情報の記録／読取を行うための光を出射する光ピックアップユニット６とを備える。また、光ディスク駆動装置１は、光ピックアップユニット６を保持するラック７と、ラック７を移動自在に支持するガイドレール８ａ，８ｂと、ラック７を移動させるためのギア９と、ギア９を回転自在に支持するギア支持部１０と、ラック７とギア９との噛み込み（ラック７とギア９とのピッチ間距離）を制御する樹脂バネ１１と、これらを支持する樹脂製のシャーシ１２等を備える。
【００１４】
ディスクトレイ２は、光ディスクが載置されるディスク載置部２１を有しており、ディスク載置部２１には、開口２２が形成されている。ディスクトレイ２は、シャーシ１２内に収納／引出し自在に支持されており、ローディングモータ及びギア等により構成されるトレイ駆動手段（不図示）によって、シャーシ１２内に収納／引出しされる。ディスクトレイ２がシャーシ１２内に収納されることにより、ディスク載置部２１に載置された光ディスクがディスク駆動ユニット３の上方へ搬送される。
【００１５】
ディスク駆動ユニット３は、光ディスクを回転させるためのターンテーブル３１及びスピンドルモータ３２等を搭載しており、シャーシ１２内に収納されている。ターンテーブル３１は、スピンドルモータ３２の回転軸に固定的に連結されており、スピンドルモータ３２により回転駆動される。スピンドルモータ３２は、シャーシ１２に昇降自在に支持された支持台３５に固定されている。つまり、ディスク駆動ユニット３は、支持台３５を介して、シャーシ１２に昇降自在に支持されている。ディスク駆動ユニット３は、ローディングモータ及びギア等により構成される昇降手段（不図示）によって、ディスクトレイ２の開口２２を通って昇降される。
【００１６】
クランパ４は、クランプホルダ１５により、ターンテーブル３１の上方に回転自在かつ昇降自在に支持されている。クランププレート５は、クランプホルダ１５により、クランパ４の上方に上下動自在に支持されており、引っ張りバネ５５により下方に付勢されている。クランプホルダ１５は、シャーシ１２の左右両側壁１３，１４間に架設されており、シャーシ１２と一体的に樹脂により形成されている。
【００１７】
ディスク駆動ユニット３がディスクトレイ２の開口２２を通って上昇すると、ディスクトレイ２上の光ディスクがターンテーブル３１により持ち上げられると共に、クランパ４が光ディスクにより持ち上げられてクランププレート５に押し付けられ、これにより、光ディスクがターンテーブル３１及びクランパ４と共に回転可能なようにターンテーブル３１上に固定されてチャッキングされる。
【００１８】
ディスク駆動ユニット３は、このように光ディスクがチャッキングされた状態でスピンドルモータ３２を回転させることにより、光ディスクをターンテーブル３１及びクランパ４と共に回転させる。
【００１９】
光ピックアップユニット６は、ユニットケース６１内に発光素子及び受光素子（不図示）等を搭載しており、発光素子から発光された光を光出入口６２から上方に向けてディスクトレイ２の開口２２を通り抜けるように出射し、また、光出入口６２から入射した光を受光素子により受光する。光ピックアップユニット６は、ラック７に固定的に保持されている。
【００２０】
ラック７は、２本のガイドレール８ａ，８ｂに移動自在に支持されている。ガイドレール８ａ，８ｂは、シャーシ１２の後側壁１６と底壁１７との間に固定されている。ラック７は、光ピックアップユニット６を固定的に保持しており、光ピックアップユニット６と共に光ディスクの径方向に移動するようになっている。従って、ラック７に保持された光ピックアップユニット６は、ラック７が移動することにより、光ディスクの径方向に移動（シーク動作）する。
【００２１】
ギア９は、上段ギア部９１、中段ギア部９２、及び下段ギア部９３を有する３段ギアであり、ギアシャフト９４が一体的に設けられている。ギア９は、ギア支持部１０に回転自在に支持されており、下段ギア部９１がラック７に噛合されている。また、中段ギア部９２には、シークモータの駆動力により回転される駆動ギア（不図示）が噛合される。すなわち、ギア９は、シークモータの駆動力により駆動ギアが回転することにより回転し、シークモータの駆動力をラック７に伝達して、ラック７（及び光ピックアップユニット６）を移動させる。
【００２２】
図３（ａ）（ｂ）（ｃ）は、ギア９の支持構造を示す。ギア支持部１０は、シャーシ１２の右側壁１４及び後側壁１６から略水平に張り出しており、シャーシ１２と一体的に樹脂により形成されている。ギア支持部１０には、ギアシャフト９４が挿入される軸支孔１０ａが形成されている。軸支孔１０ａは、ラック７の移動方向と直交する方向に長い長円形状をしている。ギア支持部１０は、軸支孔１０ａにギアシャフト９４が挿入されてギア９を回転自在に支持している。
【００２３】
ギアシャフト９４は、ギア支持部１０の軸支孔１０ａに回転自在に挿入されており、ギアシャフト９４の上部９４ａが軸支孔１０ａから上方に突出されている。ギアシャフト９の上部９４（軸支孔１０ａから上方に突出されている部分）の径は、軸支孔１０ａよりも大きくなっており、これにより、ギアシャフト９４が軸支孔１０ａから抜け落ちることなく、ギア９がギア支持部１０に回転自在に支持されている。
【００２４】
樹脂バネ１１は、ラック７の移動方向と平行に伸び、基端部１１ａがギア支持部１０に固定的に繋がっていると共に先端部１１ｂが自由端となっており、ラック７の移動方向と直交する方向に撓み変形可能になっている。樹脂バネ１１は、ギア支持部１０と一体的に樹脂により形成されている。樹脂バネ１１の先端部１１ｂは、ギアシャフト９４の上部９４ａ（軸支孔１０ａから上方に突出される部分）のラック７と反対側の周面に当接しており、ギアシャフト９４をラック７の位置する方向に向けて付勢している。従って、ギアシャフト９４は、軸支孔１０ａのラック７側の内周面と樹脂バネ１１の先端部との間に保持される。
【００２５】
このような構成の光ディスク駆動装置１は、ディスク駆動ユニット３により光ディスクを回転させながら光ピックアップユニット６から光を出射することにより光ディスクに対して情報の記録／読取を行い、このとき、シークモータの駆動力によりギア９を回転させてラック７を移動させることにより、光ピックアップユニット６をシーク動作させる。光ピックアップユニット６がシーク動作するとき、ギア９は、樹脂バネ１１による作用を受けて、ラック７とギア９とのピッチ間距離（すなわちラック７とギア９の下段ギア部９１との歯の噛み込み）を一定に保つように動作する。
【００２６】
図４（ａ）（ｂ）、図５（ａ）（ｂ）、図６（ａ）（ｂ）は、上記光ディスク駆動装置１のギア９の動作を示す。なお、図４（ａ）、図５（ａ）、図６（ａ）では、ギア９の上段ギア部９１、中段ギア部９２、及びギア支持部１０については、図示を省略している。上述のように、ギア９は、シークモータの駆動力を受けて回転し、ラック７は、ギア９の回転を受けて移動する。
【００２７】
ラック７とギア９とのピッチ間距離が正常な状態（すなわちラック７とギア９の下段ギア部９１との歯の噛み込みが正常な状態）でラック７がギア９の回転を受けて移動しているとき（図４（ａ）（ｂ）参照）、例えばラック７及びギア９の取付け誤差やギア９の偏芯等があると、一時的にラック７とギア９とのピッチ間距離が正常な状態よりも詰まる（すなわちラック７と下段ギア部９１との歯の噛み込みが正常な状態よりも大きくなる）ことがある（図５（ａ）（ｂ）参照）。このようにラック７とギア９とのピッチ間距離が詰まると、動作負荷が発生する。
【００２８】
このとき、ラック７とギア９とのピッチ間距離が詰まることによってラック７とギア９とを相互に離反させる力が発生し、また、ギア支持部１０の軸支孔１０ａがラック７の移動方向と直交する方向に長い長円形状をしているため、ギアシャフト９４が樹脂バネ１１を撓ませつつ軸支孔１０ａ内でラック７から離反する方向に移動して、ギア９がラック７から離反する方向に移動し、これにより、ラック７とギア９とのピッチ間距離が広がって正常な状態になり（図６（ａ）（ｂ）参照）、動作負荷が低減される。
【００２９】
また、その後にギア９の回転及びラック７の移動によりラック７とギア９とのピッチ間距離が正常な状態よりも大きくなる（すなわちラック７と下段ギア部９１との歯の噛み込みが正常な状態よりも小さくなる）と、撓んだ樹脂バネ１１の弾性力によって、ギアシャフト９４が軸支孔１０ａ内でラック７に近づく方向に移動して、ギア９がラック７に近づく方向に移動し、これにより、ラック７とギア９とのピッチ間距離が狭くなって正常な状態になる（図４（ａ）（ｂ）参照）。
【００３０】
つまり、ギア９は、ラック７とギア９とのピッチ間距離が詰まったときに発生するラック７とギア９とを相互に離反させる力と、樹脂バネ１１の弾性力とを受けて、ラック７とギア９とのピッチ間距離（すなわちラック７と下段ギア部９１との歯の噛み込み）を正常な状態に一定に保つように動作する。
【００３１】
このように、上記構成の光ディスク駆動装置１によれば、光ピックアップユニット６のシーク動作時に一時的にラック７とギア９とのピッチ間距離が詰まったとしても、ラック７とギア９とのピッチ間距離を正常な状態に一定に保つようにギア９が動作することにより、そのときに発生する動作負荷が減される。これにより、光ピックアップユニット６のシーク動作をスムーズに行うことができ、光ディスクに対する情報の記録／読取性能を高めることができる。しかも、樹脂バネ１１がギア支持部１０と一体的に形成され、また、ギア支持部１０がシャーシ１２と一体的に形成されているため、ラック７とギア９とのピッチ間距離が詰まったときに発生する動作負荷を低減する構成を簡素で安価に実現することができる。
【００３２】
なお、本発明は、上記実施形態の構成に限られず、種々の変形が可能である。例えば、樹脂バネ１１は、ギア支持部１０と別体に構成されていてもよい。また、樹脂バネ１１に代えて、例えば金属製のバネ等の弾性部材によりギアシャフト９４を付勢するようにしてもよい。ギア支持部１０は、シャーシ１２と別体に構成されていてもよい。
【図面の簡単な説明】
【００３３】
【図１】本発明の一実施形態に係る光ディスク駆動装置の概略構成を示す斜視図。
【図２】（ａ）は同光ディスク駆動装置の断面図、（ｂ）は同平面図。
【図３】（ａ）は同光ディスク駆動装置のギア支持構造を示す部分拡大平面図、（ｂ）は同ギア支持構造のギアシャフトを切断して示す部分拡大平面図、（ｃ）は同ギア支持構造の部分拡大断面図。
【図４】（ａ）は同光ディスク駆動装置のラックとギアとのピッチ間距離が正常なときの平面図、（ｂ）は同断面図。
【図５】（ａ）は同光ディスク駆動装置のラックとギアとのピッチ間距離が詰まったときの平面図、（ｂ）は同断面図。
【図６】（ａ）は同光ディスク駆動装置のラックとギアとのピッチ間距離が詰まったときにギアが移動してラックとギアとのピッチ間距離が正常に保たれているときの平面図、（ｂ）は同断面図。
【符号の説明】
【００３４】
１    光ディスク駆動装置
２    ディスクトレイ
３    ディスク駆動ユニット
４    クランパ
５    クランププレート
６    光ピックアップユニット
７    ラック
８ａ，８ｂ    ガイドレール
９    ギア
１０    ギア支持部
１０ａ    軸支孔
１１    樹脂バネ
１１ａ    樹脂バネの基端部
１１ｂ    樹脂バネの先端部
１２    シャーシ
２１    ディスク載置部
２２    開口
３１    ターンテーブル
３２    スピンドルモータ
３５    支持台
５５    引っ張りバネ
６１    ユニットケース
６２    光出入口
９１    上段ギア部
９２    中断ギア部
９３    下段ギア部
９４    ギアシャフト
９４ａ    ギアシャフトの上部
【図１】
2007250116.tif 000003
【図２】
2007250116.tif 000004
【図３】
2007250116.tif 000005
【図４】
2007250116.tif 000006
【図５】
2007250116.tif 000007
【図６】
2007250116.tif 000008